(57)【特許請求の範囲】
【請求項１】
回転駆動される植付伝動軸からの動力を植付軸に動力伝達部材を介して伝達する動力伝達装置を内装した移植機のプランタケースを、上記プランタケースの前端部の植付伝動軸を収納する収納部と、該収納部の後面側に連通して、動力伝達部材及び植付軸を収納する前後方向の筒状の収納部を中空状に一体成形し、前部と後部を蓋体で閉鎖して構成するにあたり、
上記植付伝動軸の収納部は、その上面側に開口部を形成し、下面側から上面側の開口に向けて拡開する勾配状に形成し、
上記動力伝達部材及び植付軸の収納部を、植付伝動軸の収納部との連通位置からプランタケースの後端の開口部に向けて後方ほど拡開する勾配状に形成し、
前記動力伝達部材及び植付軸の収納部における前記植付伝動軸の収納部との境界面となる連通口の位置を径が最も小さい絞り部分として、
前記植付伝動軸の収納部、及び前記動力伝達部材及び植付軸の収納部の勾配を中子の抜き勾配として中子を抜くことで中空状に一体成形可能に構成したことを特徴とする移植機のプランタケース構造。
【発明の詳細な説明】
【０００１】
【発明の属する技術分野】
本発明は、植付伝動軸からの動力を植付軸に伝達する動力伝達装置を内装した移植機のプランタケース構造に係るものである。
【０００２】
【従来の技術】
一般に、田植機等の移植機においては、回転駆動される植付伝動軸からの動力を、中空状のプランタケースに内装した動力伝達部材で伝達してプランタケースの後端に設けた植付軸を回転駆動するものが知られている。
【０００３】
このような中空状のプランタケースには、組立て工数の低減を図るため、ケースを左右半割り状にすることなく、ケース全体を鋳造によって一体形成したものが知られている。ところが従来のプランタケースを一体形成する際に使用される鋳型は、その中子を中央から前後に二分割して、プランタケースの中央を境界として前方と後方に向けて抜くようにしている。
【０００４】
そして、二分割した中子には、それぞれ抜き勾配が設けてあるので、中子を抜いて完成したときのプランタケースは、中子の境界となる中央部分が最も狭い絞り部分となり、両端側にゆくほど次第に拡開する形状となっている。このため、プランタケース内のオイルを交換する時に、プランタケースの後端部を開口しても、後方に向けて流失するオイルの流れが、ケースの中央にある絞り部分によって妨げられて、プランタケースの前半側にあるかなりの量のオイルがそのままプランタケース内に残留するという問題があった。
【０００５】
【発明が解決しようとする課題】
本発明は上記のような問題点を解消すべく創作されたものであって、その目的とするところは、鋳造によって一体形成したプランタケースであっても、メンテナンス時にプランタケースの後端部を開口すれば、プランタケース内のオイルをほとんど余すことなく抜くことができる移植機のプランタケース構造を提供しようとするものである。
【０００６】
【課題を解決するための手段】
上記の課題を解決するため本発明が講じた技術的手段は、回転駆動される植付伝動軸からの動力を植付軸に動力伝達部材を介して伝達する動力伝達装置を内装した移植機のプランタケースを、上記プランタケースの前端部の植付伝動軸を収納する収納部と、該収納部の後面側に連通して、動力伝達部材及び植付軸を収納する前後方向の筒状の収納部を中空状に一体成形し、前部と後部を蓋体で閉鎖して構成するにあたり、上記植付伝動軸の収納部は、その上面側に開口部を形成し、下面側から上面側の開口に向けて拡開する勾配状に形成し、上記動力伝達部材及び植付軸の収納部を、植付伝動軸の収納部との連通位置からプランタケースの後端の開口部に向けて後方ほど拡開する勾配状に形成し、前記動力伝達部材及び植付軸の収納部における前記植付伝動軸の収納部との境界面となる連通口の位置を径が最も小さい絞り部分として、前記植付伝動軸の収納部、及び前記動力伝達部材及び植付軸の収納部の勾配を中子の抜き勾配として中子を抜くことで中空状に一体成形可能に
構成したことを特徴とするものである。
【０００７】
【発明の実施の形態】
次に本発明の実施の形態を、図面に示された一実施例に基いて詳細に説明する。
まず、図１において、１は移植機として例示する乗用田植機の植付部であって、該植付部１は走行機体に装備したリンク機構２の後端に昇降フレーム３を介して昇降およびローリング自在に支持されている。
【０００８】
４は上記植付け部１のドライブケースであって、このドライブケース４から植付伝動軸５が機体の左右方向に延設されており、回転駆動される上記植付伝動軸５のケースには、前後方向のプランタケース６、６…の前端部が所定間隔毎に取付固定されている。また、プランタケース６、６…の後端部に、植付装置７の植付軸８が支持されており、プランタケース６を貫通した上記植付軸８の両端には、プランタアーム９を備えたロータリケース１０が装着されている。そして植付伝動軸５からの動力がプランタケース６に内装したスプロケット、チェン等からなる動力伝達部材を介して上記植付軸８に伝達され、植付軸８の回転に伴ってロータリケース１０が回転してプランタアーム９が植付作動する。
【０００９】
上記プランタケース６、６…の上方には、往復横送りされる苗載台１１が前高後低状に架設されており、この苗載台１１上に載置された苗を縦送り装置１２が縦送りして、エプロン１３上に送り出された苗を植付作動するプランタアーム９、９…が掻取って圃場に植付けるようになっている。１４は走行機体からの動力を植付部１に伝達するＰＴＯ軸、１５は田面を滑走するフロートである。
【００１０】
上記エプロン１３は、左右方向の台座部１６が、プランタケース６側に設けた支持体１７にボルト等を介して上下平行移動可能に支持されており、苗載台１１の下端側が台座部１６に嵌合するスライドピース１８を介してエプロン１３にスライド自在に支持されていて、台座部１６をガイドとして苗載台１１が横送り機構によって所定の速度で往復横送りされる。またプランタアーム９による掻取り苗の本数は、エプロン１３の平行移動によりプランタアーム９とエプロン１３との位置関係を変更して調節する。
【００１１】
上記前後方向のプランタケース６は、鋳造によって中空状に一体形成したものであって、図２〜図３に示すように、その前端部に植付伝動軸５の貫通孔１９が形成されており、後端部には植付軸８の貫通孔２０が形成されている。そしてプランタケース６の前端部が、貫通孔１９で支持された植付伝動軸５の収納部２１となっている。
【００１２】
上記収納部２１は斜め前方上方に向けて中空状に形成されており、その前方側上面が開口部２２となっている。そして上記収納部２１は、下方から上面の開口部２２に向けて矢印Ａ方向に拡開する勾配状に形成されている。
【００１３】
また、上記収納部２１の後面側に連通して一体状に形成されたプランタケース６の筒状部分が、植付軸８への動力伝達部材と、貫通孔２０で支持された植付軸８との収納部２３になっている。そして上記筒状の収納部２３が、前方にある収納部２１との連通位置から後方の開口部２４に向けて矢印Ｂ方向に拡開する勾配状に形成されていて、収納部２１と収納部２３との境界面となる連通口２５の位置が、側面視においても平面視においても径が最も小さい絞り部分Ｐとなっている。なお開口部２２、２４は、プランタケース６の組付け後、蓋体で閉鎖するものである。
【００１４】
本発明は上記のように構成したので、移植作業を行うに当たり、機体の走行に伴って苗載台１１が往復横送りされ、苗載台１１に載置された苗を縦送り装置１２がエプロン１３上に送り出す。そしてプランタケース６の後端側に支持された植付軸８が、植付伝動軸５からの動力により回転駆動されるのに伴って、植付作動するプランタアーム９がエプロン１３上の苗を掻取って圃場に植付ける。
【００１５】
そして、上記プランタケース６をアルミダイキャスト等で鋳造するに当たり、図４で示すように、収納部２１を形成する中子２６に、収納部２１の勾配に対応して前面視で抜き勾配a、側面視で抜き勾配bを設け、また、収納部２３を形成する中子２７には、収納部２３の勾配に対応して平面視では抜き勾配c、側面視では抜き勾配dを設けることにより、中子２６を収納部２１が拡開する矢印Ａ方向に抜き、また中子２７は収納部２３が拡開する矢印Ｂ方向に抜くことにより、プランタケース６を効率よく中空状に一体形成することができる。
【００１６】
そして、一体形成されたプランタケース６は、収納部２１と収納部２３との境界面となる連通口２５の位置が、最も径の小さい絞り部分Ｐとなっているので、メンテナンス作業時にオイルを交換するため、収納部２３の後方にある開口部２４を開放すれば、プランタケース６の前端部にある収納部２１に僅かのオイルを残すのみで、プランタケース６内のオイルを障害物のない機体後端からほとんど抜くことができる。
【００１７】
【発明の効果】
これを要するに本発明は、回転駆動される植付伝動軸からの動力を植付軸に動力伝達部材を介して伝達する動力伝達装置を内装した移植機のプランタケースを、上記プランタケースの前端部の植付伝動軸を収納する収納部と、該収納部の後面側に連通して、動力伝達部材及び植付軸を収納する前後方向の筒状の収納部を中空状に一体成形し、前部と後部を蓋体で閉鎖して構成するにあたり、上記植付伝動軸の収納部は、その上面側に開口部を形成し、下面側から上面側の開口に向けて拡開する勾配状に形成し、上記動力伝達部材及び植付軸の収納部を、植付伝動軸の収納部との連通位置からプランタケースの後端の開口部に向けて後方ほど拡開する勾配状に形成し、前記動力伝達部材及び植付軸の収納部における前記植付伝動軸の収納部との境界面となる連通口の位置を径が最も小さい絞り部分として、前記植付伝動軸の収納部、及び前記動力伝達部材及び植付軸の収納部の勾配を中子の抜き勾配として中子を抜くことで中空状に一体成形可能に構成したことから、プランタケースの前端部にある植付伝動軸の収納部から、プランタケースの後端に向けて形成した動力伝達部材及び植付軸の収納部が、後方ほど拡開する勾配状となっているので、メンテナンス作業時にオイルを交換するためプランタケースの後部を開口すれば、障害物のない機体後端からプランタケース内にあるオイルをほとんど残すことなく抜くことができる。
【００１８】
そしてプランタケースの鋳造時には、植付伝動軸の収納部を形成する中子を上方向に抜き、動力伝達部材及び植付軸の収納部を形成する中子を後方向に抜くことにより、プランタケースを容易に一体成型することができる。
【図面の簡単な説明】
【図１】植付部の側面図である。
【図２】プランタケースの側面図である。
【図３】（イ）プランタケースの斜視図である。
（ロ）同上平面図である。
（ハ）斜視図（イ）のＣ―Ｃ断面図である。
【図４】（イ）中子の平面図である。
（ロ）同上側面図である。
（ハ）同上斜視図である。
（ニ）側面図（ロ）のＤ方向矢視図である。
【符号の説明】
５      植付伝動軸
６      プランタケース
８      植付軸
２１    植付伝動軸の収納部
２３    動力伝達部材および植付軸の収納部
２４    開口部
【図１】
0004008666.tif 000002
【図２】
0004008666.tif 000003
【図３】
0004008666.tif 000004
【図４】
0004008666.tif 000005